(57)【要約】【課題】火災検知器やガス検知器を設置する場合であっても、住宅の室内に設置する機器の数を減らすことができ配線も最小限とすることのできるインターホンシステムおよび増設スピーカを提供することができる。【解決手段】インターホン親機や副親機などに付設されるインターホン増設スピーカに、火災検知器またはガス検知器を内蔵させたことと特徴とする。【選択図】図１
2005236855.tif 000002
【特許請求の範囲】
【請求項１】
インターホン親機や副親機などに付設され、火災検知器を内蔵させたことと特徴とするインターホン増設スピーカ。
【請求項２】
インターホン親機や副親機などに付設され、ガス検知器を内蔵させたことと特徴とするインターホン増設スピーカ。
【請求項３】
呼出しボタンを備え、この呼出しボタンが押された事で呼び出し信号を出力するインターホン子機と；
インターホン子機からの呼出し信号の入力によって起動しるインターホン親機と；
請求項１または２記載のインターホン増設スピーカと；
を具備していることを特徴とするインターホンシステム。
【発明の詳細な説明】
【技術分野】
【０００１】
本発明はインターホン装置に付設されるインターホン増設スピーカおよびインターホンシステムに関する。
【背景技術】
【０００２】
インターホン増設スピーカは、従来住戸に設けられたインターホン親機や副親機に付設され来客時には多種警報や呼出音にて住居人に報知するものである。
【０００３】
また、火災検知器やガス検知器などをインターホンシステムに組み込む例として例えば、特開平１１−２６１７１２号公報に開示されているように、インターホン親機に火災警報機やガス漏れ検知器が取り付け可能な検知端子が設けられ、市販されている火災警報機やガス漏れ検知器をインターホンの検知端子に接続して住戸に取り付けているものが知られている。
【特許文献１】特開平１１−２６１７１２号公報
【発明の開示】
【発明が解決しようとする課題】
【０００４】
しかしながら、従来のインターホンシステムにおいては上記のように構成されているので、火災検知器やガス検知器を増設しようとした場合、配線が煩雑になり、取り付けが困難となる問題が生じる。
【０００５】
また、近年では、防災や安全に対する意識の向上から一般の住宅であっても、火災検知器やガス検知器などの設置を義務付けることを求める声が多くなっている。このような場合、インターホンシステムとは別に火災検知器やガス検知器を住宅内に設置する場合には、室内の壁に多くに機器が設置される事になり見栄えに問題があり、配線も煩雑化する問題がある。
【課題を解決するための手段】
【０００６】
請求項１の発明のインターホン増設スピーカは、インターホン親機や副親機などに付設され、火災検知器を内蔵させたことと特徴とする。
【０００７】
火災を検出する方法として，主に炎から発生する赤外線を検出する方法，火災による温度上昇を検出する方法，煙を検出する方法がある。赤外線を検出するセンサとしてCO2共鳴式火災検知器がある。この検知器は物体が燃焼した時に発生した炭酸ガス特有の赤外線スペクトルを検出して火災を判定する。炎から発生する赤外線を検出するため，検出が直接的であり火災を早期に発見することができる。温度上昇を検出するセンサとして光ファイバ温度センサがある。光ファイバ温度センサは光ファイバ上の任意の位置の温度を測定することができる。導線が炎により切断されるという現象を利用し、通電された導線を火災検知器として使用するものである。
【０００８】
他に火災を検出するセンサとして，煙による透過光量の減少を検出する減光式の煙検知器やTVカメラを用いる方法がある。
【０００９】
火災検知器は増設スピーカのスピーカと接続されており、火災を検知したときには増設スピーカから警報やサイレンを発生させる。また、インターホン親機にも通知し親機や副親機側でも警報やサイレンを発生させたり親機や副親機に内蔵している表示装置に火災である事を報じさせたりすることなどを行う。
【００１０】
請求項２のインターホン増設スピーカは、インターホン親機や副親機などに付設され、ガス検知器を内蔵させたことと特徴とする。
【００１１】
ガス検知器は、例えば測温抵抗体の回りに酸化触媒を担持している金属酸化物焼結体よりなる担体が焼結されているガス検知素子の抵抗値の変化によって検知しているものがよく知られている。
【００１２】
ガス検知器は増設スピーカのスピーカと接続されており、火災を検知したときには増設スピーカから警報やサイレンを発生させる。また、表示などを行う。
【００１３】
請求項３の発明のインターホンシステムは、呼出しボタンを備え、この呼出しボタンが押された事で呼び出し信号を出力するインターホン子機と；インターホン子機からの呼出し信号の入力によって起動しるインターホン親機と；請求項１または２記載のインターホン増設スピーカと；を具備している。
【発明の効果】
【００１４】
本発明によれば、住宅の室内に設置する機器の数を減らすことができ配線も最小限とすることのでき、屋内に設置する機器を増加させないインターホンシステムおよび増設スピーカを提供することができる。
【発明を実施するための最良の形態】
【００１５】
本発明の第１の実施形態である増設スピーカおよびインターホンシステムについて図１を用いて説明する。
【００１６】
増設スピーカ１は、子機や親機からの音声や呼出し音を発生するスピーカ２、スピーカ２を制御する制御部３、赤外線によって炎を検出したり、温度を検出したりするなどして火災を検知する火災検知部４、火災検知部４によって火災を検知した際にはスピーカ２に警報やサイレンを発生させるように制御部３に送信する検知制御部５を備えている。
【００１７】
増設スピーカ１は、インターホン親機６や副親機（図示しない）のスピーカ増設端子に接続され、インターホンの子機７などからの信号を受ける制御部３に受けるとスピーカ２からその信号に応じた呼出音や報知音を出力させる。
【００１８】
火災検知部４によって火災が検知されたとき、火災検知部４は検知制御部５に火災のあったことを通知し、検知制御部５は制御部３に伝える。そしてスピーカ２にサイレンや警報を発生させて、火災のあることを居住者に知られる。
【００１９】
また、制御部３はインターホン親機６にも火災のあったことを知らせてもよい。このとき、親機６に内蔵されている表示装置に火災のあったことを表示したり、内蔵しているスピーカにサイレンや警報などを発生させたりしてもよい。
【００２０】
さらに、親機６に副親機（図示しない）が接続している場合や副親機に増設スピーカを接続している場合には、副親機や副親機に接続した増設スピーカに警報やサイレンを発生させるなどを行うこともでき、住宅の居住者全員に火災の発生を知られることができる。
【００２１】
さらに、インターホン親機などに公衆回線を介して電話機などに接続させることによって消防署などに自動的に火災の発生を通知するようにしてもよい。
【００２２】
また、増設スピーカ２に付帯してフラッシュランプのような光源を接続したり内蔵させたりして視覚によって知らせるようにしてもよい。
【００２３】
本実施形態によれば、増設スピーカに火災検知器を内蔵したので、住宅の室内に設置する機器の数を減らすことができ配線も最小限とすることができる。
【００２４】
次に、本発明の第２の実施形態である増設スピーカおよびインターホンシステムについて図２を用いて説明する。本実施形態は、第１の実施形態の火災検知部をガス検知部に置き換えている。
【００２５】
本実施形態もまた、増設スピーカ２にガス検知器８を内蔵したので、住宅の室内に設置する機器の数を減らすことができ配線も最小限とすることができる。
【００２６】
さらに、増設スピーカ２内部には火災検知部１とガス検知部８の両方を内蔵させることも許容する。
【図面の簡単な説明】
【００２７】
【図１】本発明の第１の実施形態である増設スピーカおよびインターホンシステムのブロック図である。
【図２】本発明の第２の実施形態である増設スピーカおよびインターホンシステムのブロック図である。
【符号の説明】
【００２８】
１・・・増設スピーカ  ２・・・スピーカ  ４・・・火災検知部  ６・・・インターホン親機  ７・・・インターホン子機
【図１】
2005236855.tif 000003
【図２】
2005236855.tif 000004